(57)【要約】【課題】不用意に係止孔からフック部が外れることを防止し、使い易いマンホール開閉治具を提供する。【解決手段】開閉治具１１は、上部に操作部を有する棒状をなす本体２と、この本体２の下部に設けられマンホール蓋１０１の係止孔１０２に挿入するフック部４とを備え、係止孔１０２に挿入したフック部４を回転してマンホール蓋１０１の下面に係止する。係止時のフック部４を回り止めするロックピン１１を備え、このロックピン１１は、本体２に設けた筒体１２に遊挿され、係止孔１０２に自重で落下挿入される。フック部４を係止した状態で、ロックピン１１がフック部４を回り止めするため、フック部４が係止孔１０２から外れることなく、マンホール蓋１０１の開閉作業を行うことができる。【選択図】図１
0003150868.tif 000002
【実用新案登録請求の範囲】
【請求項１】
上部に操作部を有する棒状をなす本体と、この本体の下部に設けられマンホール蓋の係止孔に挿入するフック部とを備え、前記係止孔に挿入した前記フック部を回転して前記マンホール蓋の下面に係止するマンホール蓋の開閉治具において、前記マンホール蓋に係止して前記係止時のフック部を回り止めする回り止め手段を備えることを特徴とするマンホール蓋の開閉治具。
【請求項２】
前記回り止め手段が前記係止孔に挿入するロックピンであり、このロックピンを挿通する筒体を前記本体に設けたことを特徴とする請求項１記載のマンホール蓋の開閉治具。
【請求項３】
前記筒体に前記ロックピンを自由落下可能に遊挿し、前記ロックピンの先端が前記係止孔の一側に挿入係止することを特徴とする請求項２記載のマンホール蓋の開閉治具。
【請求項４】
前記係止孔は、長孔形状をなすと共に、中央に両側より幅広な拡大部を有し、前記本体の先端の断面形状が略円形をなし、前記本体の先端の直径より前記フック部が薄く形成され、前記係止孔の両側の幅より前記本体の先端の直径が大きいことを特徴とする請求項３記載のマンホール蓋の開閉治具。
【請求項５】
前記本体側の上部と前記ロックピンの上部を連結する紐状体を備えることを特徴とする請求項３又は４記載のマンホール蓋の開閉治具。
【請求項６】
前記フック部の上縁の両端側に前記マンホール蓋の下面に係止する突出部を設けたことを特徴とする請求項３〜５のいずれか１項に記載のマンホール蓋の開閉治具。
【考案の詳細な説明】
【技術分野】
【０００１】
本考案は、マンホール蓋を開閉するマンホール蓋の開閉治具に係り、特にマンホール蓋の係止孔に挿入するフック部を備え、前記係止孔に挿入したフック部を回転して前記マンホール蓋の下面に係止するマンホール蓋の開閉治具に関する。
【背景技術】
【０００２】
道路に設けられたマンホール蓋は、その上を走行する車両によりガタついて騒音が発生しないように受枠内にテーパー嵌合することが一般的に採用されている。
【０００３】
このようなマンホール蓋は、受枠にテーパー嵌合しているので、車両の走行等のよってマンホール蓋が受枠に食い込み、容易にあけることができない。そこで、マンホール蓋の係止孔に係止する開閉治具が用いられる。
【０００４】
従来の開閉治具の一例として、棒状本体の先端に略Ｔ字形フック部を設けた開閉治具（例えば特許文献１）が知られており、前記フック部をマンホール蓋の係止孔に挿入し、前記棒状本体を操作してフック部を９０度水平回転させることにより、前記フック部が係止孔の下面に係止し、抜け止め状態となり、開閉治具を用いてマンホール蓋を開閉操作することができ、開閉後は、フック部を逆に９０度水平回転することにより、係止孔から引き抜くことができる。
【０００５】
ところで、マンホール蓋には、丸や角の形状のものがあり、また、マンホール蓋に設ける係止孔は、数や大きさに若干の違いはあるが、形状は略長孔形状と共通している。また、盗難防止チェーンを設けた一般的なマンホール蓋の他にも、蝶番を設けた片開きのマンホール蓋や、浮かせてから水平にスライドして開くマンホール蓋などの各種タイプのものがある。
【０００６】
特に、蝶番を設けた片開きのマンホール蓋や、浮かせてから水平にスライドして開くマンホール蓋では、フック部が係止孔に回り止め状態で係止されていないため、開閉作業時に係止孔からフック部が外れる虞がある。
【０００７】
また、従来の開閉治具は、図７（Ａ）に示すように、操作部の下部に棒状体を設け、この棒状体の先端にフック部２０１を設け、このフック部の上端２０２はマンホール蓋（図示せず）の下面に密着する構造であったが、図７（Ｂ）に示すように、経年での損耗により角度が浅くなって、引っ掛りが弱くなるため、マンホール蓋を持ち上げるとぐらつきが発生し、マンホール又はフック部が回ってしまい、係止孔からフック部が外れる虞がある。
【先行技術文献】
【特許文献】
【０００８】
【特許文献１】実開平６−８７４３９号公報
【考案の開示】
【考案が解決しようとする課題】
【０００９】
そこで、本考案は、上記問題点を解決するものであり、従来と同等以上の使い易さを備え、不用意に係止孔からフック部が外れることを防止し、使い易いマンホール開閉治具を提供することを目的とする。
【課題を解決するための手段】
【００１０】
請求項１の考案は、上部に操作部を有する棒状をなす本体と、この本体の下部に設けられマンホール蓋の係止孔に挿入するフック部とを備え、前記係止孔に挿入した前記フック部を回転して前記マンホール蓋の下面に係止するマンホール蓋の開閉治具において、前記マンホール蓋に係止して前記係止時のフック部を回り止めする回り止め手段を備えることを特徴とする。
【００１１】
請求項２の考案は、前記回り止め手段が前記係止孔に挿入するロックピンであり、このロックピンを挿通する筒体を前記本体に設けたことを特徴とする。
【００１２】
請求項３の考案は、前記筒体に前記ロックピンを自由落下可能に遊挿し、前記ロックピンの先端が前記係止孔の一側に挿入係止することを特徴とする。
【００１３】
請求項４の考案は、前記係止孔は、長孔形状をなすと共に、中央に両側より幅広な拡大部を有し、前記本体の先端の断面形状が略円形をなし、前記本体の先端の直径より前記フック部が薄く形成され、前記係止孔の両側の幅より前記本体の先端の直径が大きいことを特徴とする。
【００１４】
請求項５の考案は、前記本体側の上部と前記ロックピンの上部を連結する紐状体を備えることを特徴とする。
【００１５】
請求項６の考案は、前記フック部の上縁の両端側に前記マンホール蓋の下面に係止する突出部を設けたことを特徴とする。
【考案の効果】
【００１６】
請求項１の考案によれば、上部に操作部を有する棒状をなす本体と、この本体の下部に設けられマンホール蓋の係止孔に挿入するフック部とを備え、前記係止孔に挿入したフック部を回転して前記マンホール蓋の下面に係止するマンホール蓋の開閉治具において、前記マンホール蓋に係止して前記係止時のフック部を回り止めする回り止め手段を備えるから、フック部を係止した状態で、回り止め部材がフック部を回り止めするため、フック部が係止孔から外れることなく、マンホール蓋の開閉作業を行うことができる。
【００１７】
また、請求項２の考案によれば、筒体に挿入したロックピンが係止孔に挿入係止することにより、フック部の回り止めがなされ、ロックピンを係止孔から抜くことにより、フック部を回して係止孔から抜くことができる。
【００１８】
また、請求項３の考案によれば、係止孔にフック部を挿入し、フック部を略９０度回転すると、フック部がマンホール蓋の下面に係止すると共に、ロックピンが落下して係止孔の一側に挿入係止され、自動的にフック部が回り止め状態となる。
【００１９】
また、請求項４の考案によれば、本体の先端は係止孔の両側より大きいから、係止時に、本体が係止孔の長さ方向に移動することがなく、安定して開閉操作を行うことができる。
【００２０】
また、請求項５の考案によれば、ロックピンに連結した紐状体を引き上げることにより、手元でロックピンを簡単に係止孔から抜き取ることができ、これにより回り止め状態を解除することができる。また、筒体からロックピンを外しても、紐状体によりロックピンを紛失することがない。
【００２１】
また、請求項６の考案によれば、フック部の上縁全体がマンホール蓋の下面に当たることなく、突出部が点で下面に当たるため、ぐらつきが防止され、確実な係止状態が得られる。
【図面の簡単な説明】
【００２２】
【図１】実施例１を示す使用状態の断面図である。
【図２】同上、回り止め状態の先端の平断面図である。
【図３】同上、全体斜視図である。
【図４】同上、フック部を係止孔に位置合わせした状態の断面図である。
【図５】同上、フック部を係止孔に挿入した状態の断面図である。
【図６】同上、本体の先端を示し、図６（Ａ）は正面図、図６（Ｂ）は側面図である。
【図７】従来例のフック部の正面図を示し、図７（Ａ）は使用前のもの、図７（Ｂ）は磨耗後のものを示す。
【考案を実施するための形態】
【００２３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規なマンホール蓋の開閉治具を採用することにより、従来にないマンホール蓋の開閉治具が得られ、そのマンホール蓋の開閉治具について記述する。
【実施例１】
【００２４】
以下、本発明の実施例を添付図面を参照して説明する。
【００２５】
図１〜図６は本発明の実施例１を示し、同図に示すように、マンホール蓋１０１の開閉治具１は、金属製の棒状をなす本体２の上部に横方向の操作部３を設け、本体２の下端にフック部４を設け、前記本体２の先端部Ａは断面円形をなす。
【００２６】
図２に示すように、マンホール蓋１０１は長孔形状の係止孔１０２を有し、この係止孔１０２は、その中央に両側より大きな拡大部１０３を有する。
【００２７】
前記フック部４は前記係止孔１０２に挿通可能な厚さの板状をなし、図４，図５及び図６などに示すように、フック部４の上縁には両側に向って高くなる突出部５，５が形成され、矢羽形状をなす。また、前記本体２の先端部２Ａは断面略円形をなし、この先端部２Ａが前記拡大部１０３に挿入され、その先端部２Ａの直径Ｄは前記フック部４の厚さｔより大きく形成されている。また、前記先端部２Ａの直径Ｄは前記係止孔１０２の両側の幅Ｗより大きい。
【００２８】
したがって、操作部３を持って係止孔１０３にフック部４を挿入した後、フック部４を本体２を中心に略９０度水平回転することにより、フック部４の突出部５，５がマンホール蓋１０１の下面に係止し、操作部３によりマンホール蓋１０１の開閉操作を行うことができる。このようにフック部４に部分的に突出した突出部５，５を設けることにより、突出部５，５が点でマンホール蓋１０１の下面に当たるため、引っ掛りが良くなり、ぐらつきを防止することができる。
【００２９】
本考案では、係止時のフック部４が係止孔１０２から外れることを防止するため、回り止め手段たるロックピン１１を備え、このロックピン１１を挿通する筒体１２を前記本体２の先端部２Ａに縦設している。
【００３０】
前記ロックピン１１は、前記筒体１２に自由落下可能に遊挿され、そのロックピン１１の上部に径大な頭部１１Ａを設け、この頭部１１Ａが前記筒体１２の上部に係止し、ロックピン１１の抜け落ちを防止している。また、前記ロックピン１１は前記本体２の先端部２Ａより径小であり、前記係止孔１０２の両側の一方に係入する。
【００３１】
また、前記ロックピン１１の頭部１１Ａと、本体２の操作部３側とをワーヤーロープなどの紐状体１３により連結している。これにより、紐状体１３を手元で操作してロックピン１１を係止孔１０２から抜くことができる。
【００３２】
次に、前記開閉治具１の使用方法につき説明する。作業者は操作部３を持って開閉治具１を操作する。まず、図４に示すように、係止孔１０２にフック部４の向きを合わせ、フック部４を係止孔１０２に挿入し、先端部２Ａの先端を拡大部１０３に挿入する。こうすると、図５に示すように、ロックピン１１の先端がマンホール蓋１０１の上面に当接する。この後、フック部４を略９０度回転すると、図１及び図２に示すように、フック部４が係止孔１０２と交差する位置となり、マンホール蓋１０１の下面にフック部４の突出部５，５が係止し、同時に、ロックピン１１の先端が係止孔１０２の一側に落下係止する。これによりフック部４が回り止め状態となり、マンホール蓋１０１の開閉操作を行うことができる。
【００３３】
そして、開閉治具１による開閉操作が終わったら、操作部３の手元近くにある紐状体１３を使ってロックピン１１を引き上げることにより、係止孔１０２からロックピン１１が外れ、回り止めが解除され、この後、フック部４を回して係止孔１０２から引き抜くことができる。
【００３４】
このように筒体１２とロックピン１１により簡単に回り止め構造がえられるため、容易且つ安価に製造することができ、従来の開閉治具でも強度を損なわずに改良することができる。
【００３５】
このように本実施例では、請求項１に対応して、上部に操作部３を有する棒状をなす本体２と、この本体２の下部に設けられマンホール蓋１０１の係止孔１０２に挿入するフック部４とを備え、係止孔１０２に挿入したフック部４を回転してマンホール蓋１０１の下面に係止するマンホール蓋１０１の開閉治具１において、マンホール蓋１０１に係止して係止時のフック部４を回り止めする回り止め手段たるロックピン１１を備えるから、フック部４を係止した状態で、ロックピン１１がフック部４を回り止めするため、フック部４が係止孔１０２から外れることなく、マンホール蓋１０１の開閉作業を行うことができる。
【００３６】
また、このように本実施例では、請求項２に対応して、前記回り止め手段が係止孔１０２に挿入するロックピン１１であり、このロックピン１１を挿通する筒体１２を本体２に設けたから、筒体１２に挿入したロックピン１１が係止孔１０２に挿入係止することにより、フック部４の回り止めがなされ、ロックピン１１を係止孔１０２から抜くことにより、フック部４を回して係止孔１０２から抜くことができる。
【００３７】
また、このように本実施例では、請求項３に対応して、筒体１２にロックピン１１を自由落下可能に遊挿し、ロックピン１１の先端が係止孔１０２の一側に挿入係止するから、係止孔１０２にフック部４を挿入し、フック部４を略９０度回転すると、フック部４がマンホール蓋１０１の下面に係止すると共に、ロックピン１１が自重で落下して係止孔１０２の一側に挿入係止され、自動的にフック部４が回り止め状態となる。
【００３８】
また、このように本実施例では、請求項４に対応して、係止孔１０２は、長孔形状をなすと共に、中央に両側より幅広な拡大部１０３を有し、本体２の先端の断面形状が略円形をなし、本体２の先端部２Ａの直径Ｄよりフック部４が薄く形成され、係止孔１０２の両側の幅Ｗより本体２の直径Ｄが大きいから、本体２の先端は係止孔１０２の両側より大きく、これにより係止時に本体２が係止孔１０２の長さ方向に移動することがなく、安定して開閉操作を行うことができる。
【００３９】
また、このように本実施例では、請求項５に対応して、本体２側の上部とロックピン１１の上部を連結する紐状体１３を備えるから、ロックピン１１に連結した紐状体１３を引き上げることにより、手元でロックピン１１を簡単に係止孔１０２から抜き取ることができ、これにより回り止め状態を解除することができる。また、筒体１２からロックピン１１を外しても、紐状体１３によりロックピン１１を紛失することがない。
【００４０】
また、このように本実施例では、請求項６に対応して、フック部４の上縁の両端側にマンホール蓋１０１の下面に係止する突出部５を設けたから、フック部４の上縁全体がマンホール蓋１０１の下面に当たることなく、突出部５が点で下面に当たるため、ぐらつきが防止され、確実な係止状態が得られる。
【００４１】
尚、本発明は、本実施例に限定されるものではなく、本発明の要旨の範囲内で種々の変形実施が可能である。例えば、請求項１〜３では、係止孔の形状は各種のものに適用可能である。また、本考案は、従来の開閉治具と新規作成の開閉治具の両者に用いることができることは言うまでもない。
【産業上の利用可能性】
【００４２】
以上のように本考案にかかるマンホール蓋の開閉治具は、マンホール蓋の開閉作業に用いる開閉治具において、作業時に外れることを防止する機構の付いたマンホール蓋の開閉用治具を提供することができる。
【符号の説明】
【００４３】
１  開閉治具
２  本体
２Ａ  先端部
３  操作部
４  フック部
５  突出部
１１  ロックピン
１１Ａ  頭部
１２  筒体
１３  紐状体
１０１  マンホール蓋
１０２  係止孔
１０３  拡大部
Ｄ  直径
ｔ  厚さ
Ｗ  幅
【図１】
0003150868.tif 000003
【図２】
0003150868.tif 000004
【図３】
0003150868.tif 000005
【図４】
0003150868.tif 000006
【図５】
0003150868.tif 000007
【図６】
0003150868.tif 000008
【図７】
0003150868.tif 000009